(57)【要約】【課題】什器本体の収納スペースを小さくすることなく、机の天板下に収納可能とする。【解決手段】前面が開口された什器本体３の上面に、左右１対の可動天板４を、什器本体３の上方において水平をなす使用位置と、該什器本体３の両側端において下向きに回動することにより、什器本体３の両側面に沿って垂下する折り畳み位置との間を移動しうるように、左右方向に移動可能に設ける。【選択図】        図１
2004159798.tif 000002
【特許請求の範囲】
【請求項１】
前面が開口された什器本体の上面に、可動天板を、前記什器本体の上方において水平をなす使用位置と、該什器本体の両側端又は後端において下向きに回動することにより、什器本体の側面もしくは後面に沿って垂下する折り畳み位置との間を移動しうるように、左右又は前後方向に移動可能に設けたことを特徴とする可動天板付き物品収納什器。
【請求項２】
可動天板の一側部を、その下面に上端が取付けられ、かつ下端が、什器本体の上面に設けたガイドレールに沿って側端まで移動しうるように保持された１対の移動支持アームにより支持するとともに、可動天板の他側部を、什器本体の左右いずれか一方の端部又は後端部に下端が枢着され、かつ上端が可動天板の下面と摺接する１対の回動支持アームにより支持することにより、前記可動天板を、左右又は前後方向に移動可能かつ什器本体の左右又は後端において下向きに回動しうるようにしてなる請求項１記載の可動天板付き物品収納什器。
【請求項３】
移動支持アームの下端にローラを枢着するとともに、このローラを、コ字状断面をなすガイドレール内に転動自在に収容してなる請求項２記載の可動天板付き物品収納什器。
【請求項４】
１対の移動支持アームの下端同士を、水平片により互いに連結してなる請求項２または３記載の可動天板付き物品収納什器。
【請求項５】
可動天板の下面に、回動支持アームにおける可動天板との摺接部の直下に位置することにより、該可動天板の浮き上がりを防止するガイド部材を設けた請求項２〜４のいずれかに記載の可動天板付き物品収納什器。
【請求項６】
可動天板を水平の使用位置に保持しうるロック手段を設けた請求項１〜５のいずれかに記載の可動天板付き物品収納什器。
【請求項７】
ロック手段が、可動天板の下面に上下に回動可能に設けられ、かつ先端に、回動支持アームの上端部に形成した係合孔と係脱しうる係合爪を有する操作杆としてなる請求項６記載の可動天板付き物品収納什器。
【請求項８】
左右１対の可動天板を、水平の使用位置において互いの対向端が什器本体の左右方向のほぼ中央位置で当接するとともに、外側方に相対移動させて、それぞれ什器本体の側面と平行に折り畳み可能に設けてなる請求項１〜７のいずれかに記載の可動天板付き物品収納什器。
【発明の詳細な説明】
【０００１】
【発明の属する技術分野】
本発明は、例えばオフィスのワークステーション等において、机に付帯させて使用される可動天板付き物品収納什器に関する。
【０００２】
【従来の技術】
近年オフィス等のワークステーションでは、使い易さや作業能率を向上させるために、机の天板の平面形をＬ字型として、天板面を拡張することが多くなってきている。
しかし、このようなＬ型形状の天板が机と一体的に設けられていると、大きな設置スペースを要するとともに、作業内容によっては、大きな天板が逆に邪魔になることがある。
【０００３】
このような問題を解決するものとして、什器本体（サイドチェスト本体）の上面に、天板（上面板）を昇降可能に設け、通常の平机の天板面と、什器の天板面とをＬ字形に連続させて、天板面を拡張しうるようにするとともに、不要のときには、什器の天板を下降させて、机の天板下に収納しうるようにしたものがある（例えば特許文献１参照）。
【０００４】
【特許文献１】
特開平６−３４３５１８号公報
【０００５】
【発明が解決しようとする課題】
上述した特許文献１に記載されている従来の物品収納什器（サイドチェスト）では、什器本体の上面に、天板が昇降機構を介して直接取付けられているため、机の天板下に什器を収納するためには、什器の天板を机の天板よりも下方に下降させなければならず、必然的に什器本体の高さが小さくなることから、その収納スペースが小さくなる。
【０００６】
また、什器本体の天板は１個であり、それ全体が昇降するようになっているため、作業内容や用途、載置する物品の大きさ等に応じて、机の天板と連続する天板面の大きさや向き等を変えたりすることもできない。
【０００７】
本発明は、上記問題点に鑑みてなされたもので、什器本体の収納スペースを小さくすることなく、机の天板下に収納可能とするとともに、作業内容等に応じて、机の天板と連続する天板面の大きさや向きを変えうるようにした、可動天板付き物品収納什器を提供することを目的としている。
【０００８】
【課題を解決するための手段】
本発明によると、上記課題は、次のようにして解決される。
（１）  前面が開口された什器本体の上面に、可動天板を、前記什器本体の上方において水平をなす使用位置と、該什器本体の両側端又は後端において下向きに回動することにより、什器本体の両面もしくは後面に沿って垂下する折り畳み位置との間を移動しうるように、左右又は前後方向に移動可能に設ける。
【０００９】
（２）  上記（１）項において、可動天板の一側部を、その下面に上端が取付けられ、かつ下端が、什器本体の上面に設けたガイドレールに沿って側端まで移動しうるように保持された１対の移動支持アームにより支持するとともに、可動天板の他側部を、什器本体の左右いずれか一方の端部又は後端部に下端が枢着され、かつ上端が可動天板の下面と摺接する１対の回動支持アームにより支持することにより、前記可動天板を、左右又は前後方向に移動可能かつ什器本体の左右又は後端において下向きに回動しうるようにする。
【００１０】
（３）  上記（２）項において、移動支持アームの下端にローラを枢着するとともに、このローラを、コ字状断面をなすガイドレール内に転動自在に収容する。
【００１１】
（４）  上記（２）または（３）項において、１対の移動支持アームの下端同士を、水平片により互いに連結する。
【００１２】
（５）  上記（２）〜（４）項のいずれかにおいて、可動天板の下面に、回動支持アームにおける可動天板との摺接部の直下に位置することにより、該可動天板の浮き上がりを防止するガイド部材を設ける。
【００１３】
（６）  上記（１）〜（５）項のいずれかにおいて、可動天板を水平の使用位置に保持しうるロック手段を設ける。
【００１４】
（７）  上記（６）項において、ロック手段が、可動天板の下面に上下に回動可能に設けられ、かつ先端に、回動支持アームの上端部に形成した係合孔と係脱しうる係合爪を有する操作杆とする。
【００１５】
（８）  上記（１）〜（７）項のいずれかにおいて、左右１対の可動天板を、水平の使用位置において互いの対向端が什器本体の左右方向のほぼ中央位置で当接するとともに、外側方に相対移動させて、それぞれ什器本体の側面と平行に折り畳み可能に設ける。
【００１６】
【発明の実施の形態】
以下、本発明の実施形態を、図面に基づいて説明する。
図１は、本発明の可動天板付き物品収納什器（以下、什器と略称する）の斜視図、図２は、同じく正面図を示すもので、什器（１）は、下面の四隅部にキャスタ（２）を有する、前面が開口された箱状の什器本体（３）と、その上方に左右方向に移動可能かつ什器本体（３）の左右の側方に折り畳み可能な１対の可動天板（４）（４）とからなっている。
【００１７】
両可動天板（４）の左右寸法は、什器本体（３）の左右寸法を２等分した寸法よりも大きく、かつ什器本体（３）の上下寸法よりも小さくしてある。
【００１８】
什器本体（３）の前面の開口部には、側方に折り畳み可能なアコーディオン状の扉（５）が取付けられ、該扉（５）を側方に移動させることにより、什器本体（３）の前面を開口することができる。
【００１９】
図３の断面図及び図４の右端部側の拡大平面図に示すように、什器本体（３）の中空状をなす上面板（６）内の中央部において底板（６ａ）の上面には、前後両端に内向コ字状のガイドレール部（７ａ）を有する平板状の案内板（７）と、その下面にスポット溶接等により固着され、上記ガイドレール部（７ａ）よりも外方に位置する前後両端部に、側面視倒立Ｌ字状の折曲片（８ａ）を有する支持板（８）とが、什器本体（３）の左右の端部付近までに亘ってスポット溶接等により固着されている。
【００２０】
ガイドレール部（７ａ）の上面と折曲片（８ａ）の上面とは、等高をなして、上面板（６）の上板（６ｂ）の下面に固着されている。
【００２１】
案内板（７）の左右両端部の上面には、図４に示すように、前後両端に上向きのストッパ片（９ａ）（９ａ）を有するストッパ板（９）がねじ止めされ、後記するローラ（１４）がストッパ片（９ａ）と当接することにより、左右の可動天板（４）の左方及び右方への最大移動量が規制されるようになっている。
【００２２】
なお、このようなストッパ板（９）は、図３に示すように、案内板（７）の左右方向の中央にも設けられており、左右の可動天板（４）のローラ（１４）が、案内板（７）の中央位置で停止させられることにより、両可動天板（４）の対向端が什器本体（３）の左右方向の中央で当接し、水平の使用状態となるようにしてある（図２参照）。
【００２３】
上面板（６）における底板（６ａ）の上面中央の左右両端部には、什器（１）を移動するための、上面に下向きの指掛け凹部（１０ａ）を備える把手部材（１０）が、側方に若干突出するようにしてねじ止めされている。
【００２４】
左右の可動天板（４）のほぼ右半部と左半部との下面の中央部には、それぞれ、前後の端部に、下方にほぼＬ字状に折曲されたガイド片（１１ａ）を有する天板取付板（１１）が、下方より複数のねじ（１２）により固着されている。
【００２５】
図３及び図５に示すように、上記左右の天板取付板（１１）（左右対称的で同一構成につき、正面から見て左方のもののみ説明する）の右端部中央の下面には、可動天板（４）の右端側を支持しながら移動する側面視上向きコ字状をなす移動支持アーム（１３）の上端の内向片（１３ａ）が、スポット溶接等により固着され、その前後１対の垂直片（１３ｂ）（１３ｂ）の下端部の外面には、１対のローラ（１４）（１４）が、前後方向を向く軸回りに回転自在に枢着されている。
【００２６】
各ローラ（１４）は、上記案内板（７）の前後のガイドレール部（７ａ）内に転動可能として嵌合されている。
【００２７】
上面板（６）における上板（６ｂ）には、上記左右の垂直片（１３ｂ）が挿通するスリット状の１対の凹溝（１５）（１５）が、前後の端縁まで形成されている。
【００２８】
図３〜図５に示すように、支持板（８）における前後の上向片（８ｂ）の左右両端部には、水平の使用位置にある可動天板（４）のほぼ中央部下面の前後両端部を支持する１対の回動支持アーム（１６）（１６）の下端が、両上向片（８ｂ）の内側面に溶接されたナット（１７）に、前後方向を向くねじピン（１８）を螺合することにより、左右方向に回動可能に枢着されている。
【００２９】
回動支持アーム（１６）の上端の内向片（１６ａ）の上面には、摺動摩擦抵抗の小さい硬質合成樹脂よりなる滑子（１９）が固着されている。
内向片（１６ａ）は、天板取付板（１１）におけるガイド片（１１ａ）と可動天板（４）の下面との間に嵌合され、滑子（１９）の上面が回動天板（４）の下面を摺動可能に支持するようになっている。
【００３０】
上面板（６）における上板（６ｂ）の左右の端部には、上記回動支持アーム（１６）の垂直片（１６ｂ）が挿通するとともに、水平位置まで回動しうる長さのスリット状の凹溝（２０）（２０）が、側端まで形成されている（図１及び図４参照）。
【００３１】
図２及び図６に示すように、可動天板（４）における回動支持アーム（１６）と近接する外側方の下面中央部には、側面視下向きコ字状のブラケット（２１）が取付けられ、その前後の下向片（２１ａ）の内方には、平面視内向きコ字状をなす操作杆（２２）における前後の内向杆（２２ａ）（２２ａ）の中間部が、前後方向を向く枢軸（２３）と、それに遊嵌したねじりばね（２４）とにより、枢軸（２３）より外方の操作部側が常時下向きに付勢されるように枢着されている。
【００３２】
上記両内向杆（２２ａ）の先端部には、上向き鉤状の係合爪（２５）が連設され、この係合爪（２５）は、天板取付板（１１）におけるガイド片（１１ａ）の側端部に穿設した係合孔（２６）と、回動支持アーム（１６）の内向片（１６ａ）に穿設した係合孔（２７）とに、下方より係合しうるようになっている（図５参照）。
【００３３】
すなわち、前後の係合爪（２５）が、上記両係合孔（２６）（２７）に係合することにより、可動天板（４）は左右方向に移動するのが阻止され、水平の使用状態にロックされるようになる。
【００３４】
上記実施形態の什器（１）において、水平の使用位置にロックされている可動天板（４）を、什器本体（３）の側方に位置する折り畳み状態とするには、まず操作杆（２２）を上向きに回動させ、前後の係合爪（２５）を、天板取付板（１１）と回動支持アーム（１６）の係合孔（２６）（２７）より離脱させる。
【００３５】
ついで、各可動天板（４）を、その内方の端部を支持している移動支持アーム（１３）の１対のローラ（１４）が、側端に設けたストッパ板（９）と当接して停止するまで、外側方に水平に移動させる。
【００３６】
この際、外方の１対の回動支持アーム（１６）は、その上端の滑子（１９）が可動天板（４）の下面を受支しながら摺動するのみであるため、回動することはない。また、回動支持アーム（１６）の内向片（１６ａ）は、天板取付板（１１）のガイド片（１１ａ）と可動天板（４）との間に嵌合されているため、該可動天板（４）が上方にはね上がる恐れはない。
【００３７】
ついで、可動天板（４）を下向きに回動させれば、移動支持アーム（１３）はローラ（１４）を中心として、かつ回動支持アーム（１６）は、ねじピン（１８）を中心としてそれぞれ下向きに回動することにより、可動天板（４）は、上端が吊支された状態で、什器本体（３）の側面と平行にほぼ垂直に折り畳まれる（図１、図４参照）。
【００３８】
この折り畳み時において、可動天板（４）の側端部下面に取付けたゴム等の２個の緩衝材（２８）が、什器本体（３）の側面に当接し、衝撃や衝突音が緩和されるようになっている。
【００３９】
可動天板（４）を水平の使用位置とする際は、上述と逆の操作を行えばよく、什器本体（３）の中央位置においてストッパ板（９）にローラ（１４）が当接して停止すると、操作杆（２２）の係合爪（２５）が、天板取付板（１１）と回動支持アーム（１６）の係合孔（２６）（２７）と自動的に係合することにより、その位置にロックされる。
【００４０】
図７は、上記実施形態の什器（１）の使用例を示すもので、右側の可動天板（４）を折り畳み状態として、什器本体（３）の右半部を平机（２９）の側端部の天板（３０）の下方に収容し、水平の使用位置にロックした左側の可動天板（４）の内端を、天板（３０）の前端に当接させている。
【００４１】
このような形態で什器（１）を配置すると、可動天板（４）と机（２９）の天板（３０）とがＬ字状に連続し、広い作業面が形成されるので、ＯＡ機器等の載置スペースが増大し、作業性が向上する。
【００４２】
また、机（２９）の天板（３０）の下方に、什器本体（３）の収納部が位置しているので、天板（３０）の下方のデッドスペースを有効に使用することができる。
【００４３】
さらに、什器本体（３）の側方に可動手板（４）を折り畳んだ状態で、机（２９）の天板（３０）の下方に収容するため、昇降式の天板を備える従来の物品収納什器のように、什器本体の高さを小さくする必要はなく、従ってその収納スペースを増大することができる。
【００４４】
什器（１）を、机（２９）の天板（３０）の他側部に勝手違いで配置する際には、上記と反対に、左側の可動天板（４）を折り畳んで、什器本体（３）の左半部を天板（３０）の下方に収容し、右側の可動天板（４）の内端を天板（３０）の前端と当接させればよい。
【００４５】
このような使用形態の外に、左右の可動天板（４）を水平の使用状態として、机（２９）の前方に、その天板（３０）の前端に一方の可動天板（４）の側端が当接するように配置し、机の作業面をさらに拡張したり、両可動天板（４）を折り畳んで、机（２９）の天板（３０）の下方に、什器本体（３）全体を収容したりすることもできる。
また、机（２９）の側方に並べて什器（１）を配置してもよい。
【００４６】
本発明は、上記実施形態に限定されるものではない。
上記実施形態では、左右の可動天板（４）の左右寸法を、什器本体（３）の左右寸法を２等分した長さよりも大として、ほぼ半分が側方に突出するようにしているが、例えば、什器本体（３）の左右寸法のほぼ半分の長さとすることもある。
【００４７】
また、例えば左右寸法を什器本体（３）の上下寸法よりも小とした１個の可動天板を、上述と同様の機構により、左右いずれか一方に移動可能かつ側方に折り畳み可能に設けてもよい。
【００４８】
なお、可動天板（４）を１個とした際には、これを、什器本体（３）の上面板（６）上を前後方向に移動しうるように設け、かつ什器本体（３）の後面側に折り畳み可能とすることもできる。
【００４９】
可動天板（４）の形状は、机（２９）の天板（３０）の前端の形状等に合わせて、適宜変更しうることは勿論である。
上記実施形態では、可動天板（４）の支持強度を高めるために、移動支持アーム（１３）を側面視上向きコ字状としているが、天板（４）が軽量であるときなどには、下端の水平片を省略して前後１対の垂直の支持アームのみとし、それらの下端にローラ（１４）を枢着してもよい。
【００５０】
回動支持アーム（１６）の上端部に、滑子（１９）の代わりにローラを枢着し、これにより、可動天板（４）の下面を支持するようにしてもよい。このようにすると、可動天板（４）を移動する際の抵抗が小さくなり、円滑に移動させることができる。
【００５１】
なお、このようなローラを用いた際には、天板取付板（１１）の前後の端部に、ローラを案内するコ字状断面のガイドレール部を連設するか、もしくは、可動天板（４）の下面に、コ字状断面のガイドレールを取付けるのがよい。
【００５２】
什器本体（３）の下面の四隅部に、アジャスタを取付け、可動天板（４）の高さを、机（２９）の天板（３０）の高さに合わせて調節しうるようにしてもよい。
【００５３】
【発明の効果】
請求項１記載の発明によれば、机に付帯させて使用する際などに、什器本体の上面の可動天板を水平の使用位置として、机の天板と連続させることにより、天板面が拡張され、広い作業面を形成することができる。
また、可動天板が不要なときには、什器本体の側面または後面に沿って折り畳むことができるので、従来の昇降式の天板を備える物品収納什器のように、什器本体の高さを小さくしなくても、机の天板の下方に収容することが可能となる。従って、什器本体の収納スペースが小さくなることはない。
【００５４】
請求項２記載の発明によれば、可動天板を、その使用位置で安定的に支持しうるとともに、ガイドレールに沿って円滑に移動させたり、上下方向に安定して回動させたりすることができる。
【００５５】
請求項３記載の発明によれば、可動天板を、より円滑かつ静粛に移動させることができるとともに、可動天板の一側端部の浮き上がりや跳ね上がりが防止される。
【００５６】
請求項４記載の発明によれば、１対の移動支持アームの剛性が高まるので、可動天板の支持強度が大となる。
【００５７】
請求項５記載の発明によれば、可動天板の外側端部の浮き上がりや跳ね上がりが防止される。
【００５８】
請求項６記載の発明によれば、可動天板が妄りに水平に移動するのが阻止されるので、使い勝手がよくなる。
【００５９】
請求項７記載の発明によれば、可動天板を移動させるのと同時に、片手で操作杆を回動操作してロックを解除しうるので、操作性がよくなる。
【００６０】
請求項８記載の発明によれば、作業内容等に応じて、机の天板と連続する天板面の大きさを選択的に変えうるとともに、左右いずれか一方の可動天板を折り畳むことにより、机の天板の左右両側部に、什器本体の左右いずれか一方の半部を収容させた状態で、勝手違いで配置することが可能となり、机の天板の下方のデッドスペースを有効に使用することができる。
【図面の簡単な説明】
【図１】本発明の物品収納什器を、一方の可動天板を折り畳んで示す斜視図である。
【図２】同じく、正面図である。
【図３】図２のＩＩＩ−ＩＩＩ線の拡大縦断側面図である。
【図４】同じく、図２の右側部の一部切欠拡大平面図である。
【図５】天板取付板、移動支持アーム及び回動支持アームの斜視図である。
【図６】什器の左半部の一部切欠拡大平面図である。
【図７】什器の使用例を示す斜視図である。
【符号の説明】
（１）物品収納什器
（２）キャスタ
（３）什器本体
（４）可動天板
（５）扉
（６）上面板
（６ａ）底板
（６ｂ）上板
（７）案内板
（７ａ）ガイドレール部（ガイドレール）
（８）支持板
（８ａ）折曲片
（８ｂ）上向片
（９）ストッパ板
（９ａ）ストッパ片
（１０）把持部材
（１０ａ）指掛け凹部
（１１）天板取付板
（１１ａ）ガイド片
（１２）ねじ
（１３）移動支持アーム
（１３ａ）内向片
（１３ｂ）垂直片
（１４）ローラ
（１５）凹溝
（１６）回動支持アーム
（１６ａ）内向片
（１７）ナット
（１８）ねじピン
（１９）滑子
（２０）凹溝
（２１）ブラケット
（２１ａ）下向片
（２２）操作杆
（２２ａ）内向杆
（２３）枢軸
（２４）ねじりばね
（２５）係合爪
（２６）（２７）係合孔
（２８）緩衝材
（２９）平机
（３０）天板
【図１】
2004159798.tif 000003
【図２】
2004159798.tif 000004
【図３】
2004159798.tif 000005
【図４】
2004159798.tif 000006
【図５】
2004159798.tif 000007
【図６】
2004159798.tif 000008
【図７】
2004159798.tif 000009